(57)【要約】      （修正有）【課題】ノンエアゾールタイプの容器であって、簡易な構造で、外部から封入物の残量を視覚的に認識容易な噴射容器を得る。【解決手段】本発明は、気体および液体の少なくともいずれか１つを含む封入物を外部より高圧で充填可能であり、充填された封入物を外部に噴射できる噴射容器１であって、封入物を充填するための封入物充填用容器２と、その封入物充填用容器２の外側を覆うチューブ３とを備え、封入物充填用容器２が、封入物を出し入れする入出路４と、その入出路４を内部に挿入配置した内袋５であって封入物の充填により主として径方向に膨張する一方で封入物の外部への噴射により主として径方向に収縮する内袋５とを備え、チューブ３が、内袋５より伸び率の大きなゴム状弾性体から主として構成され、封入物充填用容器２の径方向の膨張および収縮に対してその径方向にそれぞれ膨張および収縮し、チューブ３の内袋５に対する圧縮力を利用する。【選択図】図１
2015054692.tif 000002
【特許請求の範囲】
【請求項１】
気体および液体の少なくともいずれか１つを含む封入物を外部の気圧より高圧で充填可能であり、充填されていた上記封入物を外部に噴射できる噴射容器であって、
上記封入物を充填するための封入物充填用容器と、
その封入物充填用容器の外側を覆うチューブと、
を備え、
上記封入物充填用容器は、
上記封入物を出し入れする入出路と、
その入出路を内部に挿入配置した内袋であって上記封入物の充填により主として径方向に膨張する一方で上記封入物の外部への噴射により主として径方向に収縮する内袋と、
を備え、
上記チューブは、上記内袋より伸び率の大きなゴム状弾性体から主として構成され、上記封入物充填用容器の径方向の膨張および収縮に対してその径方向にそれぞれ膨張および収縮し、
上記チューブの上記内袋に対する圧縮力を利用して上記封入物を外部に噴射することを特徴とする噴射容器。
【請求項２】
前記チューブの長手方向の長さは、前記内袋に前記封入物を最大限に充填した状態にて前記内袋の長手方向と同一若しくはそれより長いことを特徴とする請求項１に記載の噴射容器。
【請求項３】
前記チューブは、前記内袋の上部を覆い前記入出路の一部を露出するように径方向内側に延出する内側鍔部を備えることを特徴とする請求項２に記載の噴射容器。
【請求項４】
前記チューブの長手方向の２つの開口部の内の少なくともいずれか一方は、当該長手方向の他の部位よりも肉厚に形成されていることを特徴とする請求項２または請求項３に記載の噴射容器。
【請求項５】
前記チューブをシリコーンゴムにて主に構成し、
前記内袋を、フィルム状の樹脂若しくは金属、あるいはそれらのラミネート体にて主に構成していることを特徴とする請求項１から請求項４のいずれか１項に記載の噴射容器。
【請求項６】
前記チューブの外側に、前記チューブを視認でき、かつ前記チューブより硬質の材料から成る容器を備えることを特徴とする請求項１から請求項５のいずれか１項に記載の噴射容器。
【発明の詳細な説明】
【技術分野】
【０００１】
本発明は、封入物を噴射する噴射容器に関する。
【背景技術】
【０００２】
従来から、殺虫・防虫剤、化粧料、消火剤などの封入物を噴霧させるスプレー式の容器として、容器内に圧縮気体によって加圧された液剤を細い管を通して外部に噴射させる、いわゆるエアゾール製品が知られている。図７は、従来から公知の噴射容器の構造を示し、（７Ａ）は噴射容器の斜視図を、（７Ｂ）は噴射容器の縦断面図を、それぞれ示す。この噴射容器１００は、略円筒形の容器本体１０２の上部に、下方に窪む凹部材１０３を備える。凹部材１０３は、その底面の中央に、突出部１０４を備える。突出部１０４は、その頂部に、下方に押し込み可能なアクチュエーター１０５を備える。アクチュエーター１０５は、突出部１０４の内部まで挿入されており、その最下部に、突出部１０４の開口部を開閉可能なバルブ１０６を備える。また、アクチュエーター１０５は、その内部に、バルブ１０６近傍の側面から、アクチュエーター１０５の頂部近傍の側面に形成された噴射口１０７までを繋ぐ流路１０８を備える。突出部１０４は、その内部に、液剤貯留空間１１０を備える。液剤貯留空間１１０は、それに通じて下方に延出する管１１１を連接する。管１１１は、容器本体１０２の内部に延びるディップチューブ１１２を接続する。
【０００３】
容器本体１０２は、その内部に、最下層から上方に向かって順に、封入物の原液１１３、液状の噴射剤１１４および気体状の噴射剤１１５と、を封入する。気体状の噴射剤１１５は、大気圧より高圧にて加圧された状態で、容器本体１０２内に封入されている。アクチュエーター１０５を下方に押し込むと、バルブ１０６が開き、容器本体１０２内の封入物の原液１１３と液状の噴射剤１１４との混合物がディップチューブ１１２から流路１０８を通り、噴射口１０７から霧状、泡状あるいはジェル状などの形態にて外部に放出される。
【０００４】
上記構造の噴射容器１００は、従来から、気体状の噴射剤１１５としてフロンガスを用いるものも少なくなかった。しかし、近年になって、フロンガスは、オゾン層を破壊して地球温暖化の一因になり得ることから、噴射容器内のガスのみならず洗浄剤などからも完全に撤廃されるようになった。このような環境保護の観点を一つの契機として、噴射容器中の封入物を噴射する方法の一つに、加圧封入された気体を使用しない噴射機構も考えられてきた（例えば、特許文献１〜４を参照）。
【先行技術文献】
【特許文献】
【０００５】
【特許文献１】実開平４−１１８６号公報
【特許文献２】実開昭６３−１９７８９０号公報
【特許文献３】特開平３−２５６８７７号公報
【特許文献４】特開平４−１０２５６７号公報
【発明の概要】
【発明が解決しようとする課題】
【０００６】
特許文献１に開示される噴射容器は、容器本体内部に弾性材料から構成される袋部材を入れた構造を持ち、その袋部材の収縮力を利用して、袋部材内に入れた封入物を外部に噴射させる。特許文献２に開示される噴射容器は、容器本体内部に、封入物を入れる内袋を入れ、その内袋の下方であって容器本体の内底面との間に、スプリングを備える。内袋は、容器本体の高さ方向に伸縮する構造を有しており、下方からスプリングの力によって収縮し、封入物を外部に噴射する。また、特許文献３に開示される噴射容器は、容器本体内に袋部材を入れ、その袋部材内に封入物を入れ、さらに、容器本体内に気体を充填する。当該気体の圧力を大気圧以上にすることにより、袋部材の収縮力を利用し、その内部にある封入物のほとんどを外部に噴射させることができる。さらに、特許文献４に開示される噴射容器は、容器本体内に蛇腹状の袋部材をいれ、その袋部材内に封入物を入れ、袋部材の伸縮方向であって袋部材の下面と容器本体の内天面との間をゴム紐部材で繋ぐ構造を有する。封入物を袋部材内に加圧充填する際には、袋部材は、上下方向に伸び、ゴム紐部材に張力が生じる。封入物を外部に噴射する際には、ゴム紐部材の張力を利用して袋部材が上方向に向かって収縮する。
【０００７】
しかし、上述の公知の噴射容器のいずれも、硬質の容器本体の内部に、封入物を充填可能な内袋を格納した構造を有しており、外部から封入物の残量を視覚的に認識することは難しい。また、構造が複雑であるという問題もある。
【０００８】
本発明は、上記のような問題を解決するためになされたものであり、ノンエアゾールタイプの容器であって、簡易な構造を有するとともに外部から封入物の残量を視覚的に認識容易な噴射容器を実現することを目的とする。
【課題を解決するための手段】
【０００９】
上記目的を達成するための本発明の一形態は、気体および液体の少なくともいずれか１つを含む封入物を外部の気圧より高圧で充填可能であり、充填されていた封入物を外部に噴射できる噴射容器であって、封入物を充填するための封入物充填用容器と、その封入物充填用容器の外側を覆うチューブとを備え、封入物充填用容器は、封入物を出し入れする入出路と、その入出路を内部に挿入配置した内袋であって封入物の充填により主として径方向に膨張する一方で封入物の外部への噴射により主として径方向に収縮する内袋とを備え、チューブは、内袋より伸び率の大きなゴム状弾性体から主として構成され、封入物充填用容器の径方向の膨張および収縮に対してその径方向にそれぞれ膨張および収縮し、チューブの内袋に対する圧縮力を利用して封入物を外部に噴射する噴射容器である。
【００１０】
本発明の別の形態は、さらに、チューブの長手方向の長さを、内袋に封入物を最大限に充填した状態にて内袋の長手方向と同一若しくはそれより長いようにした噴射容器である。
【００１１】
本発明の別の形態は、さらに、チューブに、内袋の上部を覆い入出路の一部を露出するように径方向内側に延出する内側鍔部を備えた噴射容器である。
【００１２】
本発明の別の形態は、また、チューブの長手方向の２つの開口部の内の少なくともいずれか一方を、当該長手方向の他の部位よりも肉厚に形成した噴射容器である。
【００１３】
本発明の別の形態は、また、チューブをシリコーンゴムにて主に構成し、内袋を、フィルム状の樹脂若しくは金属、あるいはそれらのラミネート体にて主に構成した噴射容器である。
【００１４】
本発明の別の形態は、また、チューブの外側に、チューブを視認でき、かつチューブより硬質の材料から成る容器を備えた噴射容器である。
【発明の効果】
【００１５】
本発明によれば、ノンエアゾールタイプの容器であって、簡易な構造を有するとともに外部から封入物の残量を視覚的に認識容易な噴射容器を実現できる。
【図面の簡単な説明】
【００１６】
【図１】図１は、本発明の第一実施形態に係る噴射容器の組立図（１Ａ）および当該噴射容器を構成する封入物充填用容器が膨張した状態の斜視図（１Ｂ）を示す。
【図２】図２は、図１の噴射容器のチューブのみを断面で表した側面図であって、封入物の未充填状態から充填後の状態への変化を表す側面図（２Ａ）および（２Ａ）のＡ−Ａ線断面図およびＢ−Ｂ線断面図（２Ｂ）を、それぞれ示す。
【図３】図３は、第二実施形態に係る噴射容器のチューブのみを断面で表した側面図であって、封入物の未充填状態から充填後の状態への変化を表す側面図を示す。
【図４】図４は、第三実施形態に係る噴射容器のチューブのみを断面で表した側面図であって、封入物の未充填状態から充填後の状態への変化を表す側面図を示す。
【図５】図５は、第四実施形態に係る噴射容器のチューブのみを断面で表した側面図であって、封入物の未充填状態から充填後の状態への変化を表す側面図を示す。
【図６】図６は、第五実施形態に係る噴射容器の組立図を示す。
【図７】図７は、従来から公知の噴射容器の構造を示し、（７Ａ）は噴射容器の斜視図を、（７Ｂ）は噴射容器の縦断面図を、それぞれ示す。
【発明を実施するための形態】
【００１７】
次に、本発明に係る噴射容器の各実施形態について説明する。
【００１８】
＜第一実施形態＞
図１は、本発明の第一実施形態に係る噴射容器の組立図（１Ａ）および当該噴射容器を構成する封入物充填用容器が膨張した状態の斜視図（１Ｂ）を示す。
【００１９】
この実施形態に係る噴射容器１は、気体および液体の少なくともいずれか１つを含む封入物を外部の気圧より高圧で充填可能であり、充填されていた封入物を外部に噴射できる容器である。噴射容器１は、封入物を充填するための封入物充填用容器２と、封入物充填用容器２の外側を覆うチューブ３とを備える。封入物充填用容器２は、封入物を出し入れする入出路４と、入出路４の一部を内部に挿入配置した内袋であって封入物の充填により主として径方向に膨張する一方で、封入物の外部への噴射により主として径方向に収縮する内袋５とを備える。ここで、「主として径方向に膨張する」または「主として径方向に収縮する」とは、長さ方向をはじめとする他の方向よりも優先的に径方向に膨張または収縮することを意味する。したがって、内袋５は、径方向以外の方向に膨張あるいは収縮しても良い。
【００２０】
チューブ３は、内袋５より伸び率の大きなゴム状弾性体から主として構成され、封入物充填用容器２の径方向の膨張および収縮に伴いその径方向にそれぞれ膨張および収縮可能である。チューブ３は、例えば、シリコーンゴム、ウレタンゴム、イソプレンゴム、エチレンプロピレンゴム、天然ゴム、エチレンプロピレンジエンゴムあるいはスチレンブタジエンゴム等の熱硬化性エラストマー、ウレタン系、エステル系、スチレン系、オレフィン系、ブタジエン系あるいはフッ素系等の熱可塑性エラストマー、あるいはそれらの複合物等などから構成され、特に好ましくはシリコーンゴムから構成される。チューブ３は、透明であるか、半透明であるか、あるいは不透明であるかを問わない。以後の各実施形態におけるチューブについても同様である。チューブ３を透明または半透明のゴム状弾性体にて構成すると、内袋５の伸縮状況がより視認しやすくなる。さらに、内袋５を透明または半透明の材料で構成すると、チューブ３の伸縮状態により間接的に封入物の残量を確認するのみならず、直接的に封入物の残量を確認しやすくなる。ここで、「ゴム状弾性体から主として構成され」とは、チューブ３の５０体積％以上の領域がゴム状弾性体から構成されることを意味する。したがって、チューブ３に、ゴム状弾性体以外の材料から成る部分が存在していても良い。噴射容器１は、内袋５内の封入物の充填圧に加え、チューブ３の内袋５に対する圧縮力を利用して、封入物を外部に噴射することができる。
【００２１】
内袋５は、好適には、フィルム状の樹脂若しくは金属、あるいはそれらのラミネート体にて主に構成される。ここで、「主に」とは、内袋５の５０体積％超の領域が上記材料から成ることを意味する。したがって、内袋５の全領域が上記材料から構成されていなくても良い。内袋５を構成する樹脂としては、ポリプロピレン（ＰＰ）、ポリエチレン（ＰＥ）、ポリエチレンテレフタレート（ＰＥＴ）、エチレンビニルアルコール共重合体（ＥＶＯＨ）、エチレン酢酸ビニール共重合体（ＥＶＡ）あるいはポリアミド（ＰＡ）の内の一種あるいは複数を任意に組み合わせたものを好適に例示できる。ＰＰには、延伸ポリプロピレンも含まれる。また、ＰＥには、直鎖状低密度ポリエチレン（ＬＬＤＰＥ）あるいは低密度ポリエチレン（ＬＤＰＥ）も含まれる。内袋５は、透明であるか、半透明であるか、あるいは不透明であるかを問わない。内袋５をフィルム状の樹脂とフィルム状の金属とのラミネート体から構成する場合であっても、金属を極めて薄くコートすることにより、内袋５を半透明にすることができる。以後の各実施形態における内袋５についても同様である。内袋５を構成する金属としては、アルミニウム、アルミニウム基合金などの延性の高い金属を好適に例示できる。フィルム状の樹脂とフィルム状の金属とのラミネート体は、上記樹脂のフィルムに、上記金属のフィルムを積層したものである。積層方法は、フィルム同士の貼り付け、一方のフィルムに他方の材料をコートするなど、如何なる方法であっても良い。内袋５は、封入物を外部に透過させないように構成される。封入物は、気体のみ、液体のみ、気体と液体との混合物、気体と固体との混合物、液体と固体との混合物、気体と液体と固体との混合物のいずれかであって、固体のみは除かれる。封入物の好適な例としては、消化剤、防虫剤、殺虫剤、塗料、消臭剤、潤滑剤（例えば、防錆用のもの）、人体用消臭剤、制汗剤、医薬品、シェービングクリーム、ボディソープ、化粧料、食用油、液体調味料、頭髪用品、香水などを挙げることができる。
【００２２】
封入物充填用容器２の内袋５は、その内部に入出路４の一部を構成する筒部１０を挿入配置する。筒部１０と内袋５との接合部は接着されており、内袋５の内部は外気と遮断されている。一方、筒部１０は、その長手方向に亘り、上下方向に貫通する貫通路１０ａを有する。筒部１０の一端であって内袋５から露出する端部は、フランジ部１１と接続されている。フランジ部１１は、ネック部１２と接続されている。ネック部１２は、アクチュエーター１３と接続されている。アクチュエーター１３の側面には、噴射口１４が形成されている。筒部１０、フランジ部１１、ネック部１２、アクチュエーター１３および噴射口１４の内部は、それぞれ貫通路を備え、内袋５の内部と噴射口１４までが連通する構造になっている。また、フランジ部１１は、噴射口１４から内袋５の内部までの貫通路を開閉するためのバルブを内在させる部位である。アクチュエーター１３を内袋５側に押し込むと、当該バルブが開状態となり、噴射口１４から内袋５までが連通する。（１Ａ）の破線矢印Ｆで示すように、アクチュエーター１３の押し込みにより、内袋５の内部と噴射口１４との間で、封入物を充填あるいは噴射できるようになる。一方、アクチュエーター１３の内袋５側への押し込みを解除すると、バルブが閉状態となり、内袋５の内部から噴射口１４までの貫通路が遮断される。アクチュエーター１３は、スプリング等の弾性体を用いて、上方に付勢されており、下方に押し込んだときのみバルブを開状態にできるように構成されるのが好ましい。入出路４の構造は、図７を参照して説明したアクチュエーター１０５、バルブ１０６、噴射口１０７、流路１０８、液剤貯留空間１１０および管１１１と近似する。筒部１０、フランジ部１１、ネック部１２、アクチュエーター１３および噴射口１４は、好適には、ＰＰ等の熱可塑性樹脂あるいはシリコーン樹脂等の熱硬化性樹脂から構成されるが、ステンレススチール、アルミニウム基合金等の金属、あるいはアルミナ等のセラミックスの他、ガラスから構成されていても良い。
【００２３】
（１Ｂ）に示すように、内袋５は、好ましくは、その両側面が合わさるように収縮し、封入物の充填により当該両側面が開くように膨張する。このため、内袋５は、径方向の特定方向にのみ膨張しやすくなっている。また、内袋５は、その長さ方向（この実施形態では、図１の上下方向）には、上面および下面がそれぞれ上方および下方に突出するように膨らむ程度に膨張する。ただし、内袋５は、径方向のいずれの方向にも略同一の比率で膨張する構造の袋、あるいは主に径方向に膨張するものの、上下両方向にも膨張する構造の袋であっても良い。
【００２４】
チューブ３は、筒部１０より大径であって収縮時の内袋５の幅より小径の貫通路２０を、チューブ３の長手方向に備える。チューブ３内に内袋５を入れる場合には、（１Ａ）の実線矢印で示すように、内袋５を筒部１０の周囲に巻いて、径方向の長さを減じるのが好ましい。また、チューブ３の長さは、後述するように、内袋５の長さに比べて少し大きい。
【００２５】
図２は、図１の噴射容器のチューブのみを断面で表した側面図であって、封入物の未充填状態から充填後の状態への変化を表す側面図（２Ａ）および（２Ａ）のＡ−Ａ線断面図およびＢ−Ｂ線断面図（２Ｂ）を、それぞれ示す。
【００２６】
チューブ３の長手方向の長さは、好適には、内袋５に封入物（以後、「封入物Ｇ」と称する）を最大限に充填した状態にて内袋５の長手方向と同一若しくはそれより長くなるように設定されている。チューブ３は、内袋５を貫通路２０内に挿入した状態において、アクチュエーター１３の操作に支障のない上部位置に至る長さを有する。この実施形態では、チューブ３は、封入物Ｇを充填していない状態の内袋５の下面より長さＬ１だけ下方位置から、同状態の内袋５の上面より長さＬ２だけ上方であってフランジ部１１の若干下方の位置までの長さを有する。したがって、チューブ３の上下方向の長さは、内袋５の上下方向の長さよりも（Ｌ１＋Ｌ２）だけ大きい。このように、チューブ３の下端３１および上端３２を内袋５の上下両面から突出させているのは、以下の理由からである。内袋５が封入物Ｇの充填により膨張すると、それに伴い、チューブ３も膨張し、側壁部３０が伸びて表面積が増大する。その結果、チューブ３は、径方向への膨張分だけ、長手方向に収縮する。内袋５がチューブ３の上方あるいは下方に露出すると、その露出した箇所において内袋５の外側を圧迫する力が無くなる。したがって、封入物Ｇの充填中に内袋５の上部あるいは下部がチューブ３から露出すると、内袋５の当該露出した箇所が集中的に膨張しやすくなる。このような状況になると、封入物Ｇが内袋５内に充填できたとしても、チューブ３が元の形態に戻ろうとする圧縮方向の弾性力を利用して封入物Ｇを外部に噴射することが困難になる。加えて、封入物Ｇの充填中に、内袋５の上部あるいは下部が異常に膨張してしまうと、内袋５の下方あるいは上方からチューブ３が抜けてしまい、封入物Ｇの充填が失敗する危険性もある。かかる理由から、チューブ３を内袋５の上下両方向に突出させて被覆している。ただし、チューブ３が内袋５の上下両方に突出することは必須の構成ではなく、内袋５の上方のみあるいは下方のみに突出していても良い。また、内袋５に封入物Ｇを充填してもなおチューブ３が内袋５の上面および／または下面よりも突出するように、チューブ３を十分に長くしていても良い。
【００２７】
（２Ｂ）に示すように、封入物Ｇを内袋５の内部に充填すると、筒部１０の側面に巻くように畳まれていた内袋５がチューブ３の貫通路２０内にて膨張すると共に、チューブ３も主として径方向に膨張する。この実施形態では、貫通路２０に隙間が存在する状況でチューブ３が膨張しているが、貫通路２０が内袋５によって隙間なく満たされるか否かは問わない。
【００２８】
＜第二実施形態＞
次に、本発明の第二実施形態に係る噴射容器について説明する。第二実施形態において、第一実施形態と共通する部分については、同じ符号を付し、重複した説明を省略する。
【００２９】
図３は、第二実施形態に係る噴射容器のチューブのみを断面で表した側面図であって、封入物の未充填状態から充填後の状態への変化を表す側面図を示す。
【００３０】
第二実施形態に係る噴射容器１ａは、第一実施形態に係る噴射容器１と異なり、チューブ３ａの上方の開口端を径方向内側に延出させて内側鍔部３５を形成し、上方開口部３６をより狭くしている。すなわち、チューブ３ａは、内袋５の上部を覆い、入出路４の一部（筒部１０の上部）を露出するように径方向内側に延出する内側鍔部３５を備える。内側鍔部３５の厚さはＬ３である。この結果、内側鍔部３５によって内袋５の上部を押さえた構成を実現できる。一方、噴射容器１ａの内袋５の下面は、チューブ３ａに覆われず、露出している。
【００３１】
封入物Ｇを内袋５内に充填していくと、充填圧力の作用により、チューブ３ａが下方に移動しようとする。しかし、内側鍔部３５の存在により、チューブ３ａが内袋５から抜けるのを有効に防止できる。また、第一実施形態と同様、チューブ３ａの長手方向の長さを内袋５の長手方向の長さより大きくしているので、封入物Ｇを内袋５内に充填しても、内袋５がチューブ３ａから突出しにくくなる。
【００３２】
＜第三実施形態＞
次に、本発明の第三実施形態に係る噴射容器について説明する。第三実施形態において、第一実施形態と共通する部分については、同じ符号を付し、重複した説明を省略する。
【００３３】
図４は、第三実施形態に係る噴射容器のチューブのみを断面で表した側面図であって、封入物の未充填状態から充填後の状態への変化を表す側面図を示す。
【００３４】
第三実施形態に係る噴射容器１ｂは、第一実施形態に係る噴射容器１と異なり、チューブ３ｂの下端３１および上端３２の肉厚を、チューブ３ｂのそれら３１，３２以外の中央領域の肉厚に比べて大きくしている。この実施形態では、チューブ３ｂの長手方向の２つの開口部を、当該長手方向の他の部位よりも肉厚に形成しているが、開口部の内の少なくともいずれか一方、すなわち、下端３１のみ若しくは上端３２のみを当該長手方向の他の部位よりも肉厚に形成しても良い。また、この実施形態では、下端３１から所定長さの裾野部４１と、上端３２から所定長さの裾野部４２とをチューブ３ｂに形成し、裾野部４１，４２の領域において、チューブ３ｂの中央側から端部に向かって徐々に厚さを増すようにしている。ここで、「所定長さ」は、チューブ３ｂの長さ以下であれば、その長短を問わない。また、裾野部４１および裾野部４２は、チューブ３ｂの貫通路２０側の径を維持したまま外側に厚くなるように形成されている。なお、チューブ３ｂの両開口側を徐々に厚くすることは必須ではなく、下端３１および上端３２に、幅の狭い局所的な肉厚部を形成しても良い。さらには、チューブ３ｂの周囲に、連続した肉厚部位を形成する必要もなく、例えば、チューブ３ｂの周囲に沿って断続的に肉厚にし若しくは一部のみを肉厚にしても良い。すなわち、チューブ３ｂは、その下端３１および／または上端３２の膨張を抑制する形態を備えていれば良い。
【００３５】
このように、チューブ３ｂに、その下端３１および／または上端３２の膨張を抑制するための形態を付すのは、以下の理由からである。チューブ３ｂの長手方向両側が開口しているため、内袋５の膨張は、その長手方向両側にて優先的に生じやすい。チューブ３ｂの両開口部側にて内袋５が異常膨張すると、チューブ３ｂは内袋５の膨張部位と反対方向に向かう力を受けて、内袋５から抜けようとする。チューブ３ｂが内袋５から完全に抜けてしまうと、封入物Ｇの内袋５への充填は失敗する。また、チューブ３ｂが内袋５から完全に抜けずに途中で停止したとしても、内袋５の一部がチューブ３ｂに覆われない状態になり、その状態になると、チューブ３ｂの圧縮弾性力を利用して内袋５内の封入物Ｇを噴射するのに支障が生じる。このような危険性を低減するため、チューブ３ｂの下端３１および／または上端３２を中央領域よりも相対的に肉厚にして、径方向に広がりにくくしている。
【００３６】
＜第四実施形態＞
次に、本発明の第四実施形態に係る噴射容器について説明する。第四実施形態において、第一実施形態と共通する部分については、同じ符号を付し、重複した説明を省略する。
【００３７】
図５は、第四実施形態に係る噴射容器のチューブのみを断面で表した側面図であって、封入物の未充填状態から充填後の状態への変化を表す側面図を示す。
【００３８】
この実施形態に係る噴射容器１ｃは、第三実施形態に係る噴射容器１ｂの変形例である。噴射容器１ｃでは、チューブ３ｃに、下端３１から所定長さの裾野部５１と、上端３２から所定長さの裾野部５２とを形成し、かつ裾野部５１および裾野部５２を、チューブ３ｃの外側の径を維持したまま、貫通路２０側の径を徐々に狭くするように形成している。ここで、「所定長さ」は、チューブ３ｃの長手方向の長さ以下であれば、その長短を問わない。このように、第三実施形態に代えて、チューブ３ｃの両開口側にて、貫通路２０側を開口側に進むに従って徐々に肉厚になるように裾野部５１，５２を形成するようにしても良い。また、第三実施形態と同様、チューブ３ｃの両開口側を徐々に厚くすることは必須ではなく、下端３１および上端３２に幅の狭い局所的な肉厚部を形成しても良い。さらには、チューブ３ｃの周囲に連続した肉厚部位を形成する必要もなく、例えば、チューブ３ｃの周囲に沿って断続的に肉厚にし若しくは一部のみを肉厚にしても良い。
【００３９】
＜第五実施形態＞
次に、本発明の第五実施形態に係る噴射容器について説明する。第五実施形態において、第一実施形態と共通する部分については、同じ符号を付し、重複した説明を省略する。
【００４０】
図６は、第五実施形態に係る噴射容器の組立図を示す。
【００４１】
この実施形態に係る噴射容器１ｄは、第一実施形態に係る噴射容器１と異なり、チューブ３のさらに外側に、チューブ３を視認でき、かつチューブ３より硬質の材料から成る容器６０を備える。容器６０の好適な構成材料は、樹脂、ガラス、金属あるいはセラミックスである。容器６０の形状は、この実施形態では略円筒形状であるが、円筒以外の形状であっても良い。また、容器６０は、最大限に膨張した状態の内袋５およびチューブ３を包含可能な大きさの内容積を有する。容器６０は、その天面に略円形の穴６１を備える。穴６１は容器６０の内部空間と連通する。さらに、容器６０は、好適には、その側面に、窓部６２を備える。窓部６２には、透明な板（透光板という）６３が嵌め込まれている。透光板６３は、容器６０と同一の材料であるか否かを問わない。また、透光板６３を容器６０と別体で備えるか否かも問わない。したがって、容器６０を透光性の高い樹脂（例えば、アクリル樹脂）やガラスから構成し、窓部６２以外の領域を不透明な加飾層にて覆い、窓部６２に透光性を付与しても良い。このような窓部６２を形成することにより、より正確にチューブ３の伸縮状態を視認でき、その結果、封入物Ｇの残量を推測できる。なお、容器６０全体を透光性の高い樹脂やガラスで構成し、窓部６２を形成しなくても良い。
【００４２】
容器６０は、好適には、チューブ３の上部まで覆うに十分な高さであって、かつアクチュエーター１３を押し込むのを邪魔しない高さである。この実施形態では、チューブ３に入れた封入物充填用容器２を穴６１から容器６０内に挿入した際に、フランジ部１１と穴６１の内壁とがほぼ同じ高さになるように、容器６０の高さを設計している。また、フランジ部１１の外径は、容器６０の穴６１の径よりも小さい。このため、穴６１の径よりわずかに小さな外径を持ち、かつフランジ部１１の外径よりわずかに大きな内径の貫通孔７１を持つリング７０を、フランジ部１１と穴６１との隙間に嵌め込み、フランジ部１１と穴６１との隙間をなくすようにするのが好ましい。ただし、貫通孔７１は、アクチュエーター１３を上下方向に通過し、フランジ部１１の上面で止まる大きさにし、リング７０の外径を穴６１の内径より若干小さくしても良い。このようなリング７０を構成することにより、リング７０の下面によってフランジ部１１の上面から容器６０の下方に向かって押圧して、容器６０と封入物充填用容器２を上下方向に固定することもできる。
【００４３】
＜その他の実施形態＞
以上、本発明の噴射容器の各実施形態について説明したが、本発明は、上記各実施形態に限定されず、種々の変形を施ことができる。
【００４４】
例えば、第二実施形態において、チューブ１ａは、内側鍔部３５および上方開口部３６を備え、上方開口部３６を筒部１０より大きく形成して筒部１０の外側に隙間を生じるようにしている。しかし、当該隙間は必須ではなく、筒部１０やフランジ部１１の外周に上方開口部３６を密着させても良い。第四実施形態における上方開口部３６についても同様である。
【００４５】
上述の各実施形態における１または２以上の任意の構成を互いに組み合わせ可能な範囲にて組み合わせることもできる。例えば、第二実施形態と第三実施形態とを組み合わせ、噴射容器は、裾野部４１，４２と内側鍔部３５とを両方備えたチューブを有していても良い。
【産業上の利用可能性】
【００４６】
本発明は、例えば、消化剤、防虫剤、殺虫剤、塗料、消臭剤、潤滑剤（例えば、防錆用のもの）、人体用消臭剤、制汗剤、医薬品、シェービングクリーム、ボディソープ、化粧料、食用油、液体調味料、頭髪用品、香水などを噴射可能な容器として利用できる。
【符号の説明】
【００４７】
１，１ａ，１ｂ，１ｃ，１ｄ      噴射容器
２    封入物充填用容器
３，３ａ，３ｂ，３ｃ    チューブ
４    入出路
５    内袋
３５    内側鍔部
Ｇ    封入物
【図１】
2015054692.tif 000003
【図２】
2015054692.tif 000004
【図３】
2015054692.tif 000005
【図４】
2015054692.tif 000006
【図５】
2015054692.tif 000007
【図６】
2015054692.tif 000008
【図７】
2015054692.tif 000009